(57)【要約】プッシュトーク・インジケータを無線装置に提供するためのシステム、方法、及びコンピュータ判読可能媒体を開示する。無線装置における本方法には、無線装置のユーザが音声を送信してはならないことを、プッシュトーク・インジケータを介して示す段階が含まれる。本方法には、更に、無線装置によって、無線ネットワークとの接続セットアップ手続を開始し、接続の確立を示すメッセージを無線ネットワークから受信する段階が含まれる。本方法には、更に、無線装置のユーザが音声を送信してよいことを、プッシュトーク・インジケータを介して示す段階が含まれる。プッシュトーク・インジケータは、開いているチャネルを示す緑の光と、チャネルが開いていないことを示す赤い光と、を発する背面照光ボタンである。
2007512788.tif 000002
【特許請求の範囲】
【請求項１】
プッシュトーク・インジケータを提供するための無線装置における方法であって、
プッシュトーク・インジケータを介して、前記無線装置のユーザが音声を送信してはならないことを示す第１の示す段階と、
無線ネットワークとの接続セットアップ手続に参加する要求を受信する段階と、
接続の確立を示す前記無線ネットワークからのメッセージを受信する段階と、
他の無線装置上の他のユーザが発する前記無線ネットワークからの音声を受信する段階と、
所定の時間期間の経過を検出する段階と、
前記プッシュトーク・インジケータを介して、前記無線装置の前記ユーザが音声を送信してよいことを示す第２の示す段階と、
からなる方法。
【請求項２】
請求項１に記載の方法であって、前記第１の示す段階には、プッシュトーク背面照光ボタンを介して、前記無線装置のユーザが音声を送信してはならないことを示す段階が含まれる方法。
【請求項３】
請求項１に記載の方法であって、前記第１の示す段階には、
前記無線装置のユーザが音声を送信してはならないことを、赤色に点灯されるプッシュトーク背面照光ボタンを介して示す段階が含まれる方法。
【請求項４】
請求項１に記載の方法であって、前記第２の示す段階には、
前記無線装置のユーザが音声を送信してよいことを、緑色に点灯されるプッシュトーク背面照光ボタンを介して示す段階が含まれる方法。
【請求項５】
プッシュトーク・インジケータを含むプッシュトーク無線装置であって、
無線ネットワークとの接続セットアップ手続を開始するためのプロセッサと、
接続の確立を示す前記無線ネットワークからのメッセージを受信するための受信機と、
前記ユーザが送信に音声を提供したい時に押すためのプッシュトークボタンと、
前記接続が確立され、また、前記メッセージが前記無線ネットワークから受信された後、前記無線装置の前記ユーザが音声を送信してよいことを示し、そうでない場合、前記無線装置の前記ユーザが音声を送信してはならないことを示すためのプッシュトーク・インジケータと、
が含まれるプッシュトーク無線装置。
【請求項６】
請求項５に記載のプッシュトーク無線装置であって、更に、前記無線ネットワークとの接続セットアップ手続を開始する時、通話要求を前記無線ネットワークに送信するための送信機が含まれるプッシュトーク無線装置。
【請求項７】
請求項５に記載のプッシュトーク無線装置であって、前記プッシュトーク・インジケータには、背面照光ボタンが含まれるプッシュトーク無線装置。
【請求項８】
請求項７に記載のプッシュトーク無線装置であって、前記背面照光ボタンは、前記無線装置の前記ユーザが音声を送信してはならないことを示す場合、赤色光を発するプッシュトーク無線装置。
【請求項９】
請求項８に記載のプッシュトーク無線装置であって、前記背面照光ボタンは、前記無線装置の前記ユーザが音声を送信してよいことを示す場合、緑色光を発するプッシュトーク無線装置。
【請求項１０】
請求項５に記載のプッシュトーク無線装置であって、更に、
前記ユーザが前記プッシュトークボタンを押すことを検出するための検出器と、
前記ユーザからの音声を受信し送信するためのマイクと、
が含まれるプッシュトーク無線装置。
【発明の詳細な説明】
【技術分野】
【０００１】
本発明は、一般的に、無線通信の分野に関し、特に、プッシュトーク無線装置に関する。
【背景技術】
【０００２】
ポケベル及び携帯電話の到来と共に、無線サービス業界は、数十億ドルの業界に成長した。近年、プッシュトーク無線装置は人気が高まってきた。プッシュトーク無線装置を用いると双方向アナログ無線機のような通信が可能になるが、この場合、一度に一人のユーザだけが話すことができ、ユーザは、ボタンを押して話を始める。しかしながら、従来の双方向アナログ無線機とは異なり、ネットワークプッシュトーク無線装置は専用の通話セットアップ及び発話準備完了音を必要とする。即ち、ユーザが、プッシュトークボタンを押すと、無線ネットワークは専用の通話セットアップを開始し、その後、セットアップが良好に終わると、無線装置は発話準備完了音を発して、話し始めてよいことをユーザに示す。
【０００３】
更に、プッシュトーク通信では、複数の当事者が一度に話すことはできない。第１者がプッシュトークボタンを押すと第１者が通話を制御し、そして、彼がプッシュトークボタンを放すまで、彼の声が送信される。第１者がボタンを放すと、彼はもはや通話を制御せず、制御はプッシュトークボタンを押す次の当事者に渡る。従って、一人又は複数の当事者が個人やグループの通話で話している場合、一人の当事者だけがプッシュトークボタンを押した状態にできる。他の当事者が通話を制御している時に第１者がプッシュトークボタンを押そうとすると、第１者の無線装置は、望ましくない“衝突”、通話禁止音、又は他の音声信号で応答し、第１者がその時に音声を送信できないことを示す。
【特許文献１】米国特許第５，５４８，６３１号
【発明の開示】
【発明が解決しようとする課題】
【０００４】
この望ましくない音声信号によって、ユーザは、いらいらしたり、まごついたりすることがある。更に、この望ましくない音声信号は、その場に居合わせた人や、無線装置のユーザの近くにいる他の人をいらいらさせることがある。更に、この音声送信に対する制約は、他の当事者がその瞬間に話をしているか否かにかかわらず、ユーザがプッシュトークボタンを押すだけで直ぐに話し始めることが可能な従来の公知の（即ち、非ネットワーク化）双方向アナログ無線通信プロトコルとは異なる。従って上述した従来技術の問題を克服する必要がある。
【課題を解決するための手段】
【０００５】
簡潔に、本発明に基づき、無線装置にプッシュトーク・インジケータを提供するためのシステム、方法、及びコンピュータ判読可能媒体を開示する。本発明の一実施形態において、無線装置における方法には、プッシュトーク・インジケータを介して、無線装置のユーザが音声を送信してはならないことを示す段階が含まれる。本方法には更に無線装置によって、無線ネットワークとの接続セットアップ手続を開始する段階と、接続の確立を示す無線ネットワークからのメッセージを受信する段階と、が含まれる。本方法には、更に、プッシュトーク・インジケータを介して、無線装置のユーザが音声を送信してよいことを示す段階が含まれる。本発明の一実施形態において、プッシュトーク・インジケータは、開いているチャネルを示す緑の光と、チャネルが開いていないことを示す赤い光と、を発する背面照光ボタンである。
【０００６】
本発明の他の実施形態において、無線装置における本方法には、プッシュトーク・インジケータを介して、無線装置のユーザが音声を送信してはならないことを示す段階が含まれる。本方法には、更に、無線ネットワークとの接続セットアップ手続に参加する要求を受信する段階と、接続の確立を示す無線ネットワークからのメッセージを受信する段階と、が含まれる。本方法には、更に、他の無線装置上の他のユーザが発する無線ネットワークからの音声を受信する段階と、所定の時間期間の経過を検出する段階と、が含まれる。本方法には、更に、プッシュトーク・インジケータを介して、無線装置のユーザが音声を送信してよいことを示す段階が含まれる。本発明の一実施形態において、プッシュトーク・インジケータは、開いているチャネルを示す緑の光と、チャネルが開いていないことを示す赤い光と、を発する背面照光ボタンである。
【０００７】
本発明の他の実施形態において、プッシュトーク・インジケータを含むプッシュトーク無線装置には、無線ネットワークとの接続セットアップ手続を開始するためのプロセッサが含まれる。本プッシュトーク無線装置には、更に、接続の確立を示す無線ネットワークからのメッセージを受信するための受信機と、ユーザが送信に音声を提供したい時に押すためのプッシュトークボタンが含まれる。本プッシュトーク無線装置には、更に、接続が確立され、また、メッセージが無線ネットワークから受信された後、無線装置のユーザが音声を送信してよいことを示し、そうでない場合、無線装置のユーザが音声を送信してはならないことを示すためのプッシュトーク・インジケータが含まれる。本発明の他の実施形態において、本プッシュトーク無線装置には、更に、無線ネットワークとの接続セットアップ手続を開始する時、通話要求を無線ネットワークに送信するための送信機が含まれる。
【０００８】
本発明の好適な実施形態は、ふさがっているチャネルを示す望ましくない音声信号に対して他の選択肢を提供するので有利である。本発明によって、ユーザは、プッシュトーク・インジケータを押す前に、プッシュトーク・インジケータを見るだけで、チャネルが通話のために空いているかどうか判断し得る。これによって、無線装置のユーザは、更にスムーズで更に自然な通信ができる。更に、ユーザ及びユーザの近くにいる他の人々をいらいらさせ、ふさがっているチャネルを示す望ましくない音声信号が、この概念的枠組みによって解消される。
【０００９】
本発明の他の実施形態において、プッシュトーク・インジケータには、無線装置上に配置されるランプ、ボタン、又は他の機械的要素、あるいは、無線装置の外部表示器上に表示されるアイコン等の図形指標やテキストメッセージが含まれる。本発明の好適な実施形態によれば、チャネルが送信用に空いているかどうかプッシュトーク無線装置のユーザが判断する方法を提供することによって、従来技術の問題を克服する。
【発明を実施するための最良の形態】
【００１０】
図１は、本発明の好適な実施形態に基づく無線通信システムを示すブロック図である。図１の代表的な無線通信システムには、無線サービスプロバイダ１０２、無線ネットワーク１０４及び無線装置１０６乃至１０８が含まれる。無線サービスプロバイダ１０２は、第１世代アナログ携帯電話サービス、第２世代デジタル携帯電話サービス又は第３世代のインターネット可能な携帯電話サービスである。代表的な無線ネットワーク１０４は、携帯電話ネットワーク、携帯テキストメッセージング装置ネットワーク、ポケベルネットワーク等である。更に、図１の無線ネットワーク１０４の通信標準は、符号分割多元接続（ＣＤＭＡ）、時分割多元接続（ＴＤＭＡ）、移動通信用の地球規模システム（ＧＳＭ）、総合パケット無線サービス（ＧＰＲＳ）、周波数分割多元接続（ＦＤＭＡ）等である。無線ネットワーク１０４は、携帯電話、プッシュトーク携帯無線機、テキストメッセージング装置、ハンドヘルドコンピュータ、ポケベル、電子ブザー等、任意の数の無線装置１０６乃至１０８をサポートする。
【００１１】
本発明の一実施形態において、無線ネットワーク１０４は、モトローラ社の統合デジタル強化ネットワーク（ｉＤＥＮＴＭ）であり、様々な携帯ビジネス用に設計された無線ソリューションである。ｉＤＥＮ無線装置は、製造現場から役員会議室や携帯販売部に及ぶ様々な職場環境において利用し得る。ｉＤＥＮ無線装置は、双方向デジタル無線、デジタル無線電話、英数字メッセージング、及びインターネット接続技術を活用するデータ／ファックス機能を含む様々な機能を提供する。ｉＤＥＮ無線装置には、更に、スピーカーフォン、音声コマンド、電話帳、音声メール、デジタル双方向無線電話、携帯インターネット及びＥメール、無線モデム、音声起動、及び音声記録を含む様々な特徴が含まれる。モトローラ社のｉＤＥＮネットワークについては、共同所有の米国特許第５，５４８，６３１号、表題「通信システムにおいて少なくとも２つの通信サービスをサポートするための方法及び装置」に更に詳細に記載されている。米国特許第５，５４８，６３１号は，その全体を引用・参照する。
【００１２】
図２は、図１の無線通信システムの更に詳細なブロック図である。図２の無線通信システムには、上述したいずれかの通信標準をサポートする基地局２０２、２０３、２０４に接続されたコントローラ２０１が含まれる。更に、図２の無線通信システムは、公衆交換電話網（ＰＳＴＮ）２０６及びインターネットプロトコル（ＩＰ）ネットワーク２０８に接続される。基地局２０２、２０３、２０４は、加入者ユニット又は送受信機（即ち、携帯装置）１０６及び１０８（図１参照）を含む地理的な有効範囲の一部を個別にサポートする。携帯装置１０６及び１０８は、ＣＤＭＡ、ＦＤＭＡ、ＣＤＭＡ、ＧＰＲＳ又はＧＳＭ等の通信プロトコルを用いて、基地局２０２、２０３、２０４と接続される。
【００１３】
図２の無線通信システムの地理的有効範囲は、領域又はセルに分割され、これらは、基地局２０２、２０３、２０４（本明細書ではセルサーバとも呼ぶ）によって、サービスが個別に提供される。無線通信システム内で動作する携帯装置は、その一次インターフェイスとして、特定のセルサーバを選択して、システム内での送受信動作を行う。例えば、携帯装置１０６は、その一次セルサーバとして、セルサーバ２０２を有し、また、携帯装置１０８は、その一次セルサーバとして、セルサーバ２０４を有する。好適には、携帯装置は、無線通信システムへの最適な通信インターフェイスを提供するセルサーバを選択する。通常、このことは、携帯装置と特定のセルサーバとの間の通信信号の信号品質に依存する。
【００１４】
携帯装置が、有効範囲内の様々な地理的地点間を移動するにつれて、ハンドオフ又はハンドオーバが、他のセルサーバに対して必要な場合があるが、このセルサーバは、この後、一次セルサーバとして機能する。携帯装置は、隣接セルにサービスを提供する基地局からの通信信号をモニタし、ハンドオフのための最適な新しいサーバを決定する。隣接するセルサーバからの送信信号の品質モニタの他に、携帯装置は、更に、送信信号に付随する送信色コード情報をモニタし、どの隣接セルサーバが送信信号の発信源であるか迅速に識別する。
【００１５】
図３は、本発明の好適な実施形態に基づく無線装置３００を示すブロック図である。図３は、携帯電話無線装置３００を示す。本発明の一実施形態において、無線装置３００は、符号分割多元接続（ＣＤＭＡ）、時分割多元接続（ＴＤＭＡ）、移動通信用の地球規模システム（ＧＳＭ）、一般的なパケット無線サービス（ＧＰＲＳ）、周波数分割多元接続（ＦＤＭＡ）等の通信プロトコルの下で通信チャネルを介して無線周波数信号の送受信が可能な双方向無線機である。
【００１６】
図３のコントローラ３０２は、後述するように、プッシュトーク・インジケータに帰属する機能等の様々な機能を実行する。本発明の様々な実施形態において、図３のコントローラ３０２には、後述するタスクを実行するための１つのプロセッサ又は複数のプロセッサが含まれる。無線装置３００は、無線装置３００の送受信モード間の切り換えを行うコントローラ３０２の制御下で動作する。受信モードにおいて、コントローラ３０２は、送受信切換機３２０を介して、アンテナ３１８を受信機３１６に結合する。受信機３１６は、受信信号を復号し、それらの復号信号をコントローラ３０２に提供する。送信モードにおいて、コントローラ３０２は、切換機３２０を介して、アンテナ３１８を送信機３２２に結合する。図３には、また、本発明の全体的処理中に用い得る情報を記憶するための記憶モジュール３１０が含まれる。
【００１７】
コントローラ３０２は、メモリ３０８に記憶された命令に基づき、送信機３２２及び受信機３１６を動作させる。これらの命令には、隣接セル測定スケジューリングアルゴリズムが含まれる。本発明の好適な実施形態において、メモリ３０８には、不揮発性のメモリ、フラッシュメモリ又はランダムアクセスメモリのいずれか１つ又はいずれかの組合せが含まれる。タイマモジュール３０６は、コントローラ３０２にタイミング情報を提供して、計時されるイベントを追跡する。更に、コントローラ３０２は、タイマモジュール３０６からの時間情報を利用して、隣接セルサーバ送信及び送信色コード情報のスケジューリングを追跡する。
【００１８】
隣接セル測定がスケジュール化されると、受信機３１６は、コントローラ３０２の制御下で、隣接セルサーバをモニタし、“受信信号品質指標”（ＲＳＱＩ）を受信する。ＲＳＱＩ回路３１４は、モニタされる各セルサーバによって送信された信号の信号品質を表すＲＳＱＩ信号を生成する。各ＲＳＱＩ信号は、アナログディジタル変換器３１２によってデジタル情報に変換され、入力として、コントローラ３０２に提供される。色コード情報及び関連する受信信号品質指標を用いて、無線装置３００は、ハンドオフが必要な場合の一次セルサーバとして用いるのに最も適する隣接セルサーバを決定する。
【００１９】
一実施形態において、無線装置３００は、無線電話である。この実施形態の場合、図３の無線装置３００には、更に、音声を無線装置３００に入力し、また、ユーザによるリスニングのために音声を出力するための音声入出力モジュール３２４が含まれる。また、住所録情報の修正、通話データ情報との対話、及び通話の実行／応答など、ユーザが無線装置３００と対話するためのユーザインターフェイス３２６が含まれる。無線装置３００には、更に、携帯電話のユーザに情報を表示するための表示装置３２８が含まれる。
【００２０】
図３は、更に、チャネルが開いているかどうかをユーザに示すためのプッシュトーク・インジケータ３３５を示す。上述したように、プッシュトーク通信では、複数の当事者が一度に話すことができない。第１者がプッシュトーク・インジケータボタンを押すと直ぐに、第１者は、その通話を制御し、彼の音声は、彼がプッシュトークボタンを放すまで送信される。第１者がボタンを放すと、彼は、もはや通話を制御せず、制御は、プッシュトークボタンを押す次の当事者に渡る。従って、一人又は複数の当事者が個人又はグループ通話で話している場合、一人の当事者だけがプッシュトークボタンを押した状態にできる。他の当事者が通話の制御をしている時、第１者が、プッシュトークボタンを押そうとすると、第１者の無線装置は、望ましくない“衝突”又は他の音声信号で応答し、第１者がその所与の瞬間に音声を送信できないことを示す。この望ましくない音声信号によって、ユーザは、いらいらしたり、まごついたりすることがある。更に、この望ましくない音声信号は、その場に居合わせた人や、無線装置のユーザの近くにいる他の人をいらいらさせることがある。
【００２１】
本発明の一実施形態において、プッシュトーク・インジケータ３３５には、プッシュトーク背面照光ボタンが含まれる。現在の個人又はグループ通話のチャネルが、無線装置３００のユーザによる音声に対して開いている場合、即ち、他の当事者が通話を制御していない場合、プッシュトーク・インジケータ３３５は、緑色で背面照光される。このことは、無線装置３０２のユーザに対して、彼が音声を送信してよいことを示す。現在の個人又はグループ通話のチャネルが、無線装置３００のユーザによる音声に対して開いていない場合、即ち、もう一人の当事者が通話を制御している場合、プッシュトーク・インジケータ３３５は、赤色で背面照光される。このことは、無線装置３０２のユーザに対して、彼が音声を送信してはならないことを示す。他の選択肢として、プッシュトーク・インジケータ３３５には、無線装置３０２のインターフェイス３２６上に配置されるランプ、ボタン、又は他の機械的要素が含まれる。
【００２２】
本実施形態において、プッシュトーク・インジケータ３３５は、背面照光されるプッシュトーク・インジケータボタンと一体化されている。従って、プッシュトーク・インジケータ３３５には、無線装置３００プッシュトーク状態を示すプッシュトーク・インジケータ３３５と、無線装置３００のプッシュトーク状態を変えるために用いられるプッシュトークボタンと、の機能が含まれる。
【００２３】
本発明の他の実施形態において、プッシュトーク・インジケータ３３５には、アイコン、テキストメッセージ、又はその２つの組合せ等の図形指標が含まれ、これは、無線装置３０２の外部表示装置３２８に表示される。本実施形態において、プッシュトーク・インジケータ３３５は、プッシュトークボタンから分離されている。従って、無線装置３００のプッシュトーク状態を示すプッシュトーク・インジケータ３３５の機能を含むプッシュトーク・インジケータ３３５が、無線装置３００のプッシュトーク状態を変えるために用いられるプッシュトークボタンから分離されているもので実現される。
【００２４】
図３は、また、無線装置３００の位置及び／又は速度情報を決定するためのオプションの全地球測位システム（ＧＰＳ）モジュール３３０を示す。このモジュール３３０は、無線装置３００の位置及び／又は速度を決定するために、ＧＰＳ衛星システムを用いる。ＧＰＳモジュール３３０の他の選択肢として、無線装置３００には、セルタワー三角測量及び支援ＧＰＳを用いるなどして、無線装置３００の位置及び／又は速度を決定するための他のモジュールを含み得る。
【００２５】
図４は、本発明の好適な実施形態に基づく無線ネットワーク上におけるプッシュトーク無線装置の通話セットアッププロセス用の動作フロー図である。図４の動作フロー図は、無線ネットワーク１０４上のプッシュトーク無線装置３００の通話をセットアップするプロセス（即ち、通話セットアップ）を示す。図４の動作フロー図は、ステップ４０２で始まり、直接ステップ４０４に流れる。
【００２６】
ステップ４０４に先立って、無線装置間に確立された接続は存在せず、従って、通話を制御する他の当事者は、存在しない。従って、プッシュトーク・インジケータ３３５は、無線装置３００のユーザに対して、彼が音声を送信してよいことを示す。一実施形態において、プッシュトーク・インジケータ３３５は、緑色で背面照光される。
【００２７】
ステップ４０４において、無線装置３００のユーザは、プッシュトークボタンを押す。このことは、ユーザが音声を送信しようとする準備ができていることを無線装置３００に示す。そして、無線装置３００は、ステップ４０６において、個人又はグループ通話要求を無線ネットワーク１０４に送信し、応答を待つ。本発明の一実施形態において、無線装置３００は、ステップ４０６において、当業者には公知のレイヤ３の信号メッセージを送信する。このメッセージは、専用の通話（即ち、２人の当事者だけを含む通話）要求の場合、“ＰＣ＿ＲＥＱＵＥＳＴ”メッセージであってよく、又は、グループ通話（即ち、３人以上の当事者を含む通話）要求の場合、“ＧＣ＿ＲＥＱＵＥＳＴ”メッセージであってよい。
【００２８】
ステップ４１０において、無線ネットワーク１０４は、引き続き、無線装置３００と通話の対象受信者（１人は複数）との間の通話のセットアップを試みる。無線ネットワーク１０４は、通話要求を通話の対象受信者（１人は複数）に送信し、受信者からの応答を待つ。本発明の一実施形態において、無線ネットワーク１０４は、ステップ４１０において、専用通話の場合、レイヤ３の“ＧＣ＿ＰＡＧＥ＿ＲＥＱＵＥＳＴ”メッセージを送信し、グループ通話の場合、“ＧＣ＿ＰＡＧＥ＿ＲＥＱＵＥＳＴ”メッセージを送信する。他の実施形態において、ネットワーク１０４が受信者からの応答を待つ間、無線ネットワーク１０４は、“通話進行中”メッセージを全ての当事者に送信する。本実施形態において、“通話進行中”メッセージは、専用通話の場合、レイヤ３の“ＧＣ＿ＰＲＯＣＥＥＤＩＮＧ”メッセージであり、グループ通話の場合、“ＧＣ＿ＰＲＯＣＥＤＩＮＧ”メッセージである。
【００２９】
無線ネットワーク１０４は、引き続き、通話の対象受信者（１人は複数）との接続を完了し、その後、無線装置３００用の通信チャネルを割り当てる。
次に、無線ネットワーク１０４は、ステップ４１４において、通話許可メッセージを無線装置３００及び通話の対象受信者（１人は複数）に送信する。通話許可メッセージは、接続がなされたこと、及び通信用のチャネルが割り当てられたことを無線装置に示すメッセージである。本発明の一実施形態において、無線ネットワーク１０４は、ステップ４１４において、専用通話の場合、レイヤ３の“ＰＣ＿ＧＲＡＮＴ”メッセージを送信し、グループ通話の場合、“ＧＣ＿ＧＲＡＮＴ”メッセージを送信する。
【００３０】
無線ネットワーク１０４から通話許可メッセージを受信する段階に応じて、現在の個人又はグループ通話のチャネルは、無線装置３００のユーザ以外の他のどのユーザ用の音声に対しても開いていない、即ち、無線装置３００のユーザが、通話を制御する。従って、（無線装置３００以外の）他の全ての当事者用のプッシュトーク・インジケータ３３５は、彼が音声を送信してはならないことを示す。一実施形態において、他の全ての当事者用のプッシュトーク・インジケータ３３５は、赤色に背面照光される。
【００３１】
また、無線ネットワーク１０４から通話許可メッセージを受信する段階に応じて、無線装置３００は、ステップ４１６において、無線装置３００が送信用音声の受信開始の準備ができていることをユーザに示す。一実施形態において、無線装置３００は、電子ブザー音又は他の典型的な音を生成することによって、このことを示す。その後、ユーザは、無線ネットワーク１０４によって割り当てられたチャネル上で、ステップ４１８において、無線装置３００を介して、音声の送信を（例えば、無線装置３００に話すことによって）開始する。無線装置３００は、ユーザからの音声を無線ネットワーク１０４に送信し、無線ネットワーク１０４は、通話に参加している他の当事者（１人は複数）にその音声を送信する。ステップ４１８は、通話の通信構成要素の開始を信号で伝える。図４の動作フロー図は、ステップ４２０で終了する。
【００３２】
通話セットアップ手続が不調であったために（例えば、ＲＦチャネルが利用不能又は受信用の無線装置が利用不能であるために）、無線ネットワーク１０４が、無線装置３００のチャネルを割り当てない場合、他のステップにおいて、無線ネットワーク１０４は、通話セットアップが不調であったことを無線装置３００のユーザに通知する。他の好適な実施形態では、音声告知が無線装置３００に提供され、通話セットアップ手続の状態を示す。
【００３３】
図５は、本発明の好適な実施形態に基づく無線ネットワーク上におけるプッシュトーク無線装置の通話プロセス用の動作フロー図である。図５の動作フロー図は、通話セットアッププロセスの後生じ、図４を参照して詳細に前述した、無線ネットワーク１０４におけるプッシュトーク無線装置３００用の通話の通信構成要素を示す。従って、図５で説明したステップは、図４において前述したステップの後、行われる。図５の動作フロー図は、ステップ５０２で開始し、ステップ５０４に直接流れる。
【００３４】
図４のステップは、無線装置３００のユーザが、無線ネットワーク１０４によって割り当てられたチャネル上で、ステップ４１８において、無線装置３００を介して、音声を送信することで終わる。無線装置３００は、ユーザからの音声を無線ネットワーク１０４に送信し、無線ネットワーク１０４は、通話に参加している他の当事者（１人は複数）にその音声を送信する。図４の終了において、ステップ４１８では、無線装置３００のユーザは、プッシュトークボタンを押したままである（彼が音声を送信している場合）。図５の始まりでは、無線装置３００のユーザは、プッシュトーク・インジケータボタンを放している。
【００３５】
ステップ５０４において、無線装置３００のユーザは、プッシュトークボタンを放す。その後、送信終了メッセージが、無線装置３００から無線ネットワーク１０４に送られる。本発明の一実施形態において、無線装置３００は、ステップ５０４において、専用通話の場合、レイヤ３の“ＰＣ＿ＥＯＴ”メッセージを送信し、グループ通話の場合、“ＧＣ＿ＥＯＴ”メッセージを送信する。ステップ５０６において、無線装置３００を含む各無線装置上で動いているハングタイマが、時間の経過を検出し始める。この時点では、どの当事者でも彼らのそれぞれのプッシュトークボタンを押すことができる。これを行う最初の当事者が通話を制御する。
【００３６】
ステップ５１０において、第２者は、彼のプッシュトークボタンを押す。ステップ５１２において、第２者の無線装置は、更新要求を無線ネットワーク１０４に送信する。ステップ５１０に先立って、どの無線装置とネットワークとの間においても接続は確立されていない。従って、プッシュトーク・インジケータ３３５は、彼が音声を送信してよいことを無線装置３００のユーザに示す。一実施形態において、プッシュトーク・インジケータ３３５は、緑色で背面照光される。更に、他の全ての当事者用のプッシュトーク・インジケータ３３５は、彼らが、音声を送信してよいことをそれらのユーザに示す。一実施形態において、それらのプッシュトーク・インジケータ３３５は、緑色で背面照光される。
【００３７】
本発明の一実施形態において、第２者の無線装置は、ステップ５１２において、専用通話の場合、レイヤ３の“ＧＣ＿ＵＰＤＡＴＥ＿ＲＥＱＵＥＳＴ”メッセージを送信し、グループ通話の場合、“ＧＣ＿ＵＰＤＡＴＥ＿ＲＥＱＵＥＳＴ”メッセージを送信する。その結果、無線ネットワーク１０４は、ステップ５１４において、通話許可メッセージを通話の他の当事者（１人は複数）に送信する。通話許可メッセージは、接続がなされたこと、また、通信用のチャネルが割り当てられたことを無線装置に示すメッセージである。
【００３８】
無線ネットワーク１０４から通話許可メッセージを受信する段階に応じて、現在の個人又はグループ通話のチャネルは、第２者以外の他のどのユーザ用の音声に対しても開いていない、即ち、第２者は、通話を制御している。従って、（第２者以外の）他の全ての当事者用のプッシュトーク・インジケータ３３５は、彼が音声を送信してはならないことを示す。一実施形態において、他の全ての当事者用のプッシュトーク・インジケータ３３５は、赤色に背面照光される。
【００３９】
また、無線ネットワーク１０４から通話許可メッセージを受信する段階に応じて、第２者の無線装置は、ステップ５１６において、彼の無線装置が送信用の音声の受信開始の準備ができていることをユーザに示す。その後、第２者は、ステップ５１８において、無線ネットワーク１０４によって割り当てられたチャネル上で、音声を送信し始める。第２者の無線装置は、音声を無線ネットワーク１０４に送信し、無線ネットワーク１０４は、通話に参加している他の当事者（１人は複数）にその音声を送信する。ステップ５１８は、通話の他の通信構成要素の開始を信号で伝える。ステップ５１８は、ステップ５０４に戻り、そこで、第２者は、プッシュトークボタンを放す。従って、ステップ５０４乃至５１８は、個人又はグループ通話が終了するまで繰り返される。
【００４０】
図６は、本発明の好適な実施形態に基づく無線ネットワーク上におけるプッシュトーク無線装置の通話プロセス用のタイミング図である。図６の図は、無線ネットワーク１０４上のプッシュトーク・インジケータ無線装置用の通話をセットアップし実行するプロセスを示す。図６の図は、第１者６０２、第２者６０４及び第３者６０６を含むグループ通話を示す。
【００４１】
図６の図の実行に先立って、無線装置間の接続は、存在せず、従って、通話を制御している他の当事者も存在しない。従って、プッシュトーク・インジケータ３３５は、彼らが、音声を送信してよいことを全てのユーザに示す。従って、全てのプッシュトーク・インジケータ即ちＬＥＤは、緑６０７である。
【００４２】
第１者６０２は、プッシュトークボタンを押す。無線装置は、ＧＣ＿＿ＲＥＱＵＥＳＴ６１０を無線ネットワーク１０４に送信し、応答を待つ。これに応じて、無線ネットワーク１０４は、ＧＣ＿ＰＡＧＥ＿ＲＥＱＵＥＳＴ６１１及び６１２を通話の対象受信者（１人は複数）、第２者６０４、及び第３者６０６に送信し、受信者からの応答を待つ。ネットワーク１０４が受信者からの応答を待つ間、無線ネットワーク１０４は、ＧＣ＿ＰＲＯＣＥＥＤＩＮＧメッセージ６１３、６１４及び６１５を全ての当事者に送信する。
【００４３】
次に、無線ネットワーク１０４は、ＧＣ＿ＧＲＡＮＴメッセージ６１６、６１７及び６１９を通話の全ての当事者に送信する。無線ネットワーク１０４から通話許可メッセージを受信する段階に応じて、現在のグループ通話のチャネルは、第１者６０２以外の他のどのユーザ用の音声に対しても開いていない。従って、ＬＥＤは、第２者６０４に対しては、赤６１８であり、ＬＥＤは、第３者６０６に対しては、赤６２０である。
【００４４】
その後、第１者は、無線ネットワーク１０４によって割り当てられたチャネル上で、音声（通常、音声６２１）の送信を開始する。無線ネットワーク１０４は、通話に参加している他の当事者（１人は複数）に音声を送信する。そして、第１者６０２は、プッシュトークボタンを放す。その後、ＧＣ＿ＥＯＴメッセージ６２２が、第１者６０２から無線ネットワーク１０４に送られる。この時点では、全てのプッシュトーク・インジケータが、そのままである。その後、各無線装置上で動いているハングタイマ６２３が、時間の経過を検出し始める。所定の時間期間がハングタイマによって検出されると、どの当事者も通話を制御していないと判断される。従って、全てのＬＥＤが、緑６２４である。
【００４５】
そして、第２者６０４は、彼のプッシュトークボタンを押す。第２者６０４の無線装置は、ＧＣ＿ＵＰＤＡＴＥ＿ＲＥＱＵＥＳＴ６２５を無線ネットワーク１０４に送信する。その結果、無線ネットワーク１０４、は、ＧＣ＿ＧＲＡＮＴメッセージ６２７及び６２８を第１者６０２及び第３者６０６に送信する。通話許可メッセージは、接続がなされたこと、また、通信用のチャネルが割り当てられたことを無線装置に示すメッセージである。無線ネットワーク１０４から通話許可メッセージを受信する段階に応じて、現在の個人又はグループ通話のチャネルは、第２者以外の他のどのユーザ用の音声に対しても開いていない、即ち、第２者６０４は、通話を制御している。従って、ＬＥＤは、第２者６０４の場合、緑６２６であり、一方、ＬＥＤは、第１者６０２の場合、赤６２８であり、また、ＬＥＤは、第３者６０６の場合、赤６３０である。その後、第２者６０４は、無線ネットワーク１０４によって割り当てられたチャネル上で、通常、音声６３１である音声を送信し始める。無線ネットワーク１０４は、通話に参加している他の当事者（１人は複数）に音声を送信する。
【００４６】
本発明は、無線装置３００において、ハードウェア、ソフトウェア、又はハードウェア及びソフトウェアの組合せで実現し得る。本発明の好適な実施形態に基づくシステムは、（無線装置３００の）１つのコンピュータシステムにおいて集中方式で、又は、異なる要素が幾つかの相互接続されたコンピュータシステム全体に分散された分散方式で実現し得る。あらゆる種類のコンピュータシステム、又は、本明細書に記載された方法を実行するように構成された他の装置が、適合する。ハードウェア及びソフトウェアの代表的な組合せは、ロードされ実行されると、本明細書に述べた方法を実行するようにプロセッサを制御するコンピュータプログラムを有する汎用プロセッサであってよい。
【００４７】
更に、本明細書に述べた方法の実装を可能にする全ての特徴を含み、また、システムにロードされると、これらの方法を実行し得る（例えば、無線装置３００における）コンピュータプログラムプロダクトに、本発明を組み込み得る。コンピュータプログラム手段又は現文脈におけるコンピュータプログラムは、直接、又は、ａ）他の言語、コード又は表記法への変換、ｂ）異なる具体的形式での再生、の内のいずれか一方又は両方の後、情報処理能力を有するシステムに特定の機能を実行させるように意図された、あらゆる言語、コード又は表記法による、一組の命令のあらゆる表現を意味する。
【００４８】
各コンピュータシステムには、とりわけ、１つ又は複数のコンピュータ並びに少なくともコンピュータ判読可能媒体が含まれ、このコンピュータ判読可能媒体から、データ、命令、メッセージ又はメッセージパケット及び他のコンピュータ判読可能情報をコンピュータが読み込み得る。コンピュータ判読可能媒体には、ＲＯＭ、フラッシュメモリ、ディスクドライブメモリ、ＣＤ−ＲＯＭ、及び他の永久記憶装置等の不揮発性のメモリを含み得る。更に、コンピュータ媒体には、例えば、ＲＡＭ、バッファ、キャッシュメモリ、及びネットワーク回線等の揮発性の記憶装置を含み得る。更に、コンピュータ判読可能媒体には、有線ネットワーク又は無線ネットワークを含むネットワークリンク及び／又はネットワークインターフェイス等の過渡状態媒体におけるコンピュータ判読可能情報を含み得るが、これによって、コンピュータはそのような判読可能情報を読み込み得る。
【００４９】
本発明の特定の実施形態について開示したが、当業者は、本発明の精神及び範囲から逸脱することなく、これら特定の実施形態を変更し得ることを理解されるであろう。本発明の範囲は、従って、これら特定の実施形態に限定するものではなく、本発明の範囲内において、添付の請求項が、全てのそのような用途、修正及び実施形態を網羅するものである。
【図面の簡単な説明】
【００５０】
【図１】本発明の好適な実施形態に基づく無線通信システムを示すブロック図。
【図２】図１の無線通信システムの更に詳細なブロック図。
【図３】本発明の好適な実施形態に基づく無線装置を示すブロック図。
【図４】本発明の好適な実施形態に基づく無線ネットワーク上におけるプッシュトーク無線装置の通話セットアッププロセス用の動作フロー図。
【図５】本発明の好適な実施形態に基づく無線ネットワーク上におけるプッシュトーク無線装置の通話セットアッププロセス用の時系列図。
【図６】本発明の好適な実施形態に基づく無線ネットワーク上におけるプッシュトーク無線装置の通話プロセス用のタイミング図。
【図１】
2007512788.tif 000003
【図２】
2007512788.tif 000004
【図３】
2007512788.tif 000005
【図４】
2007512788.tif 000006
【図５】
2007512788.tif 000007
【図６】
2007512788.tif 000008
【国際調査報告】
2007512788.tif 000009